(57)【要約】  【課題】真空断熱材を適用する冷蔵庫において、真空断熱材を最大限に効率よく利用することにより断熱性能を向上しながら、合理的に高性能な冷蔵庫を提供するものである。  【解決手段】真空断熱板６において、断熱の必要な箇所７の厚みを厚くし、断熱をそれ程必要としない箇所は逆に薄くすることにより真空断熱板６を最大限に効率よく利用することができ、直材費を最低限にした合理的で、高性能な真空断熱材を適用した冷蔵庫を提供することが可能となるものである。【選択図】図１
2008101792.tif 000002
【特許請求の範囲】
【請求項１】
外箱と、内箱と、前記外箱と内箱の空隙部に発泡充填した硬質ポリウレタン断熱材と、前記外箱又は内箱の内面に内面形状に追随するように屈曲させ配設した真空断熱板を備えた冷蔵庫において、屈曲させた前記真空断熱板が部分的に厚みが異なることを特徴とする冷蔵庫。
【請求項２】
前記真空断熱板の厚い部分の厚みが１０ｍｍ以上であり、薄い部分の厚みが１０ｍｍ未満であることを特徴とする請求項１に記載の冷蔵庫。
【請求項３】
前記真空断熱板の厚い部分の厚みが薄い部分の厚みの１．２倍以上であることを特徴とする請求項１または２に記載の冷蔵庫。
【請求項４】
複層フィルムの構成材料として片側にアルミニウム箔、対抗する片側にアルミニウム蒸着フィルムを有する真空断熱板において内箱と接する側が蒸着フィルムを有することを特徴とする請求項１から３のいずれか一項に記載の冷蔵庫。
【請求項５】
内面形状に追随するように屈曲させ貼付した前記真空断熱板において各屈曲部の角度が９０度以下であることを特徴とする請求項１から４のいずれか一項に記載の冷蔵庫。
【発明の詳細な説明】
【技術分野】
【０００１】
本発明は、真空断熱板を備えた冷蔵庫に関するものである。
【背景技術】
【０００２】
近年、冷蔵庫の省エネルギー化や省スペース化を狙いに、冷蔵庫の断熱性能を高める一手段として、高断熱性能を有する真空断熱材を利用する方法があり、省エネルギーの要請が益々高まる今日では、硬質ウレタンフォームと比較して数倍から１０倍程度の断熱性能を有する真空断熱材を適切な範囲内で最大限に利用することにより断熱性能を向上させていくことが急務である。そのために冷蔵庫の外箱又は内箱の内面の屈曲した部分に追随するように折り曲げ可能な真空断熱板を配設することが提案されている（例えば、特許文献１参照）。
【０００３】
図３は、特許文献１に記載された従来の冷蔵庫における冷蔵庫の概略断面図である。８は冷蔵庫であり、外箱９と、内箱１０と、外箱９と内箱１０によって形成される空間に充填された発泡断熱材１１と、機械室１２の上部の内箱内壁に取り付けられた真空断熱板１３とを備えた構成となっている。
【０００４】
上記構成において、冷蔵庫の機械室１２の外箱内壁は、立体的な形状を有しているものの、特許文献１の真空断熱板１３は可撓性を有するため、予めその形状に合わせて真空断熱板１３を折り曲げ加工することにより、機械室１２の周辺のような箇所にも真空断熱板１３を外箱内壁形状に沿わせて適用することができ、真空断熱材１３を最大限に利用することにより断熱性能を向上させることができる。
【特許文献１】特開２００１−３３６６９１号公報
【発明の開示】
【発明が解決しようとする課題】
【０００５】
上記従来の構成では、温度差が大きく、より断熱を必要とする機械室部近傍の真空断熱板も、比較的温度差が小さく断熱をそれ程必要としない底面近傍の真空断熱板も同じ厚さであるため、真に真空断熱材の効果を最大限に発揮しているとは言えない。
【０００６】
本発明は、上記従来の課題を解決するもので、屈折した箇所において、より断熱の必要な箇所には厚い真空断熱材を、断熱をそれ程必要としない箇所には薄い真空断熱材を配設することにより、真空断熱材を最大限に効率よく利用することにより直材費を最低限にした高性能な冷蔵庫を提供することを目的とする。
【課題を解決するための手段】
【０００７】
上記従来の課題を解決するために、本発明の冷蔵庫は、外箱と、内箱と、前記外箱と内箱の空隙部に発泡充填した硬質ポリウタン断熱材と、外箱又は内箱の内面に、内面形状に追随するように配設した真空断熱板を備えた冷蔵庫において、前記真空断熱板が部分的に厚みが異なることを特徴としたものである。
【発明の効果】
【０００８】
これによって、冷蔵庫において、より断熱の必要な箇所には厚い真空断熱材を、断熱をそれ程必要としない箇所には薄い真空断熱材を配設することができ、真空断熱材を最大限に効率よく利用することができ直材費を最低限にした高性能な冷蔵庫を提供することが可能となる。
【発明を実施するための最良の形態】
【０００９】
請求項１に記載の発明は、外箱と、内箱と、前記外箱と内箱の空隙部に発泡充填した硬質ポリウタン断熱材と、前記外箱又は内箱の内面に、内面形状に追随するように配設した真空断熱板を備えた冷蔵庫において、屈曲させた前記真空断熱板が部分的に厚みが異なることを特徴とした冷蔵庫であり、より断熱の必要な箇所には厚い真空断熱材を、断熱をそれ程必要としない箇所には薄い真空断熱材を配設することができ、真空断熱材を最大限に効率よく利用することができる。
【００１０】
請求項２に記載の発明は、請求項１に記載の発明において、前記真空断熱板の厚い部分の厚みを１０ｍｍ以上、薄い部分の厚みを１０ｍｍ未満とするものであり、冷蔵庫として一般的に最も温度差の大きい機械室と冷凍室の部分に真空断熱板の厚い部分を適用することにより、十分な断熱性能を発揮することができる。
【００１１】
請求項３に記載の発明は、請求項１または２に記載の発明において、前記真空断熱板の厚い部分の厚みが薄い部分の厚みの１．２倍以上とするものであり、厚みの段差の効果により溝を設けることなく前記真空断熱板を屈曲することが可能となり、製造コストの低減及び溝部の断熱性能低下を抑制できる。
【００１２】
請求項４に記載の発明は、請求項１から３のいずれか一項に記載の発明において、複層フィルムの構成材料として片側に気体透過性の低いアルミニウム箔、対抗する片側にヒートリークは少ないが安価で気体透過性の高いアルミニウム蒸着フィルムを有する真空断熱板で、前記内箱又は外箱と接する側に蒸着フィルムを用いることにより、安価でしかも信頼性が確保できる。
【００１３】
請求項５に記載の発明は、請求項１から４のいずれか一項に記載の発明において、前記真空断熱板の各屈曲部の角度を９０度以下とすることにより、屈曲するための溝を設けなくとも厚みの段差の効果で屈曲が可能であり、前記複層フィルムのアルミニウム箔が破れることを防ぎ、信頼性が確保できる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の概略断面図、図２は同実施の形態に適用された、屈曲しない状態での真空断熱板の正面図である。
【００１６】
図１において、冷蔵庫１は、鋼板からなる外箱２とＡＢＳ樹脂からなる内箱３の間の空隙部に硬質ポリウレタン断熱材４を充填して形成し、冷蔵庫１本体の下部には圧縮機５を配設している。そのため、冷蔵庫下部の外箱２及び内箱３の形状は、２箇所で屈折した形となっている。断熱性能を向上し、冷蔵庫としての性能を向上するため、断熱性能に優れた真空断熱板を最大限に効率よく適用するため、内箱３下部に追随するように、真空断熱板６を配設している。真空断熱板６は、内面形状に追随するように屈曲させ、接着剤等で貼付している。
【００１７】
このような構成において、最も外部温度が高い箇所は圧縮機５であり、その近傍に当る断熱材層の断熱効果が最も重要である。そのため、その近傍に当る真空断熱板６における特に断熱の必要な箇所７の部分の厚みを他の部分の厚みより厚くしている。一例では厚い部分を１２ｍｍ、その他の部分を８ｍｍにしている。各厚みはそれぞれの温度条件や構成により最適な厚みがあり規定するものではないが、一般的に硬質ポリウレタン断熱材４の厚みが最低２０ｍｍ程度であることを考えると１０ｍｍ前後が妥当である。
【００１８】
又真空断熱板の厚い部分の厚みが薄い部分の厚みの１．２倍以上となっており、新たに溝を設けなくとも比較的簡単に屈曲することが可能である。
【００１９】
又、真空断熱板６は硬質ウレタン断熱材４側に気体透過性の低いアルミニウム箔を有する複層フィルムを、内箱３側にヒートリークは少ないが安価で気体透過性の高いアルミニウム蒸着フィルムを有する複層フィルムを使用しており、安価でしかも長期間真空度が維持され、信頼性が確保できる。
【００２０】
又、真空断熱板６の各屈曲部の角度は９０度以下とすることにより、複層フィルムのアルミニウム箔が破れることを防ぎ、信頼性が確保できる。
【産業上の利用可能性】
【００２１】
以上のように、本発明にかかる冷蔵庫は、より断熱の必要な箇所には厚い真空断熱材を、断熱をそれ程必要としない箇所には薄い真空断熱材を配設することができ、真空断熱材を最大限に効率よく利用することができ直材費を最低限にした高性能な冷蔵庫を提供することが可能となる。
【００２２】
又、本発明では冷蔵庫への適用を示したが、冷蔵庫に限らず自動販売機やクーラーボックス等他の冷却機器、保温機器等でも同様の効果が期待できるものである。
【図面の簡単な説明】
【００２３】
【図１】本発明の実施の形態１における冷蔵庫の概略断面図
【図２】同実施の形態に適用された、屈曲しない状態での真空断熱板の正面図
【図３】従来の冷蔵庫の概略断面図
【符号の説明】
【００２４】
１  冷蔵庫
２  外箱
３  内箱
４  硬質ポリウレタン断熱材
５  圧縮機
６  真空断熱板
７  断熱の必要な箇所
【図１】
2008101792.tif 000003
【図２】
2008101792.tif 000004
【図３】
2008101792.tif 000005